(57)【特許請求の範囲】
【請求項１】
キー入力を行うことができる操作入力装置において、
数値入力キーと、
前記数値入力キーから入力された数値データを表示する表示部と、
前記数値入力キーの押圧時間を計測し、該キーの押圧時間に基づいて、キー入力の種別を判定するための判定基準値を設定する判定基準値設定部と、上記判定基準値設定部により設定された判定基準値に基づいて、キー入力に対して２通りの種別を判定するキー入力判定部とを有する制御手段とを備え、
前記制御手段は、第１の種別によりキー入力された第１の数字データを前記表示部に点灯表示した後に、第２の種別によりキー入力されると、第１の数字データを前記表示部に前記点灯表示と異なる表示を行い、その後、第１の種別により第２の数値データをキー入力されると、第１の数値データを第２の数値データに変更して前記表示部に表示するように制御することを特徴とする操作入力装置。
【請求項２】
前記制御手段は、前記数値入力キーから第２の種別によりキー入力されると、該数字データを点滅表示することを特徴とする請求項１に記載の操作入力装置。
【請求項３】
前記制御手段は、第１の種別によりキー入力された２桁以上の第１の数字データを前記表示部に点灯表示した後に、第２の種別によりキー入力が継続されると、第１の数字データを前記表示部に順次点滅表示して、その後、所望の第１の数字データが点滅しているときに、第２の種別によるキー入力が終了されて、第１の種別により第２の数字がキー入力されると、所望の第１の数字データを第２の数字データに変更して前記表示部に表示するように制御することを特徴とする請求項２に記載の操作入力装置。
【請求項４】
第２の種別によるキー入力は、前記数値入力キーを所定時間以上押す操作であることを特徴とする請求項１〜請求項３のいずれかに記載の操作入力装置。
【請求項５】
請求項１〜請求項４のいずれかに記載の操作入力装置より入力された数値データに応じて所定の画像形成処理を実行する画像形成装置において、前記制御手段は、前記第１の種別によりキー入力された数値データを印刷枚数として処理し、該数値データに基づいて印刷を実行することを特徴とする画像形成装置。
【発明の詳細な説明】
【技術分野】
【０００１】
本発明は、キー入力を行うことができる操作入力装置に関し、特に印刷枚数等を入力する操作入力装置を備えた複写機、ファクシミリ、プリンタ等の画像形成装置に関する。
【背景技術】
【０００２】
通常、複写機では印刷枚数や拡大・縮小倍率を数値入力し、またファクシミリでは電話番号等を数値入力する必要があり、これらの数値を数値入力キー（例えば、テンキー）により入力することができるようになっている。例えば特許文献１では、画像形成装置は、操作パネルにクリアキーやストップキーとともに常設されたテンキーと、タッチパネル式の仮想的なテンキーを表示する表示部と、仮想テンキーから入力された数値データに基づいて複写倍率を制御する倍率制御部と、常設テンキーから入力された数値データに基づいて印刷枚数を制御する印刷枚数制御部とを具備している。そしてオペレータが印刷枚数を変更したい場合には、常設テンキーを操作して所望の印刷枚数を入力する。常設テンキーから入力された数値データは、制御手段により検知され、その検知データしたがって印刷枚数を決定され、このとき、表示画面上では、印刷枚数が所望の数値に変更される。
【０００３】
しかしながら、通常印刷枚数の入力において、誤って入力した数値を変更して再入力する場合、まず操作パネル上にテンキーとは別設されたクリアキーを押して、表示画面上の誤った数値データを消去し、次にテンキーから変更する数値データを入力することになる。例えば所望の印刷枚数が２５０枚であるところを、テンキーから数値「２５１」と誤って入力した場合でも、数値データ「２５１」を全てクリアキーにより消去して、改めて「２５０」と３回テンキーから数値データを再入力することが必要である。またファクシミリにおいて１箇所の数値を間違った電話番号を再入力するときにも、市外局番、市内局番、加入者番号の略１０桁の数値を入力し直すことになり、一層煩雑な操作を行わなければならないという不都合があった。
【特許文献１】特開平１１−２８２３１４号公報（段落［００１１］―［００１５］、図１）
【発明の開示】
【発明が解決しようとする課題】
【０００４】
本発明は、上記のような課題を解決するためになされたものであり、キー入力操作を減らし、また操作パネル上でキー入力に係る部材が簡素化され、手入力する数値入力機能の操作性が向上した操作入力装置及びそれを備えた画像形成装置を提供することを目的とする。
【課題を解決するための手段】
【０００５】
上記目的を達成するために本発明は、キー入力を行うことができる操作入力装置において、数値入力キーと、前記数値入力キーから入力された数値データを表示する表示部と、前記数値入力キーの押圧時間を計測し、該キーの押圧時間に基づいて、キー入力の種別を判定するための判定基準値を設定する判定基準値設定部と、上記判定基準値設定部により設定された判定基準値に基づいて、キー入力に対して２通りの種別を判定するキー入力判定部とを有する制御手段とを備え、前記制御手段は、第１の種別によりキー入力された第１の数字データを前記表示部に点灯表示した後に、第２の種別によりキー入力されると、第１の数字データを前記表示部に前記点灯表示と異なる表示を行い、その後、第１の種別により第２の数値データをキー入力されると、第１の数値データを第２の数値データに変更して前記表示部に表示するように制御することを特徴としている。
【０００６】
この構成によれば、第１の数値データを第２の数値データに変更して入力する場合に、第２の種別によりキー入力すると、点灯表示された第１の数値データが点灯表示と異なる表示に変り、この状態で、第１の種別により第２の数値データがキー入力されると、点滅している第１の数値データが第２の数値データに変更される。
【０００７】
また、本発明は、上記の構成の操作入力装置において、前記制御手段は、前記数値入力キーから第２の種別によりキー入力されると、該数値データを点滅表示することを特徴としている。この構成によれば、入力変更する数値データが点灯表示から点滅表示に変わる。
【０００８】
また、本発明は、上記の構成の操作入力装置において、前記制御手段は、第１の種別によりキー入力された２桁以上の第１の数値データを前記表示部に点灯表示した後に、第２の種別によりキー入力が継続されると、第１の数値データを前記表示部に順次点滅表示して、その後、所望の第１の数値データが点滅しているときに、第２の種別によるキー入力が終了されて、第１の種別により第２の数値がキー入力されると、所望の第１の数値データを第２の数値データに変更して前記表示部に表示するように制御することを特徴としている。この構成によれば、桁数が大きい数値データを変更して入力する場合に、第２の種別によりキー入力すると、２桁以上の第１の数値データが順次点滅表示され、その数値データの中から、変更すべき数値データが点滅した直後に第２の種別の入力を止めて、第１の種別によりキー入力されると、変更すべき数値データが第２の数値データに変更される。
【０００９】
また、本発明は、上記の構成の操作入力装置において、第２の種別によるキー入力は、前記数値入力キーを所定時間以上押す操作であることを特徴としている。この構成によれば、数値入力キーを所定時間以上押すと、表示部に点灯表示していた数値データが点滅表示等の点灯表示と異なる表示に変わる。
【００１０】
また、本発明は、上記の構成の操作入力装置より入力された数値データに応じて所定の画像形成処理を実行する画像形成装置において、前記制御手段は、前記第１の種別によりキー入力された数値データを印刷枚数として処理し、該数値データに基づいて印刷を実行する。
【発明の効果】
【００１１】
請求項１に記載の発明によれば、第１の数値データを第２の数値データに変更して入力する場合に、第２の種別によりキー入力すると、点灯表示された第１の数値データが点灯表示と異なる表示に変り、この状態で、第１の種別により第２の数値データがキー入力されると、点滅している第１の数値データが第２の数値データに変更されるので、誤った数値データを消去するクリアキーを採用しなくてもよいので、操作パネルの操作部材が簡素化される。また数値入力キーの操作のみで数値データが修正されるので、キー入力の誤りを簡単に修正することができ、手入力する数値入力機能の操作性が向上する。
【００１２】
また、請求項２に記載の発明によれば、入力変更する数値データが点灯表示から点滅表示に変わるので、クリアキーを採用しなくてもよいので、操作パネルの操作部材が簡素化され、修正する数値データが分かり易く、手入力する数値入力機能の操作性が向上する。
【００１３】
また、請求項３に記載の発明によれば、第２の種別によりキー入力すると、２桁以上の第１の数値データが順次点滅表示し、その数値データの中から、変更すべき数値データが点滅した直後に第２の種別の入力を止めて、第１の種別によりキー入力されると、変更すべき数値データが第２の数値データに変更されるので、ファクシミリにおける電話番号や数が多い印刷枚数の設定等の桁数が大きい数値データを変更して入力する場合において、数値データの修正入力を簡単に行うことができ、手入力する数値入力機能の操作性が向上する。
【００１４】
また、請求項４に記載の発明によれば、数値入力キーを所定時間以上押すと、表示部に点灯表示していた数値データが点滅表示等の点灯表示と異なる表示に変わるので、クリアキー等別の操作部材を操作することなく、数値入力キーのみで数値データの修正入力を行うことができ、手入力する数値入力機能の操作性が向上する。
【００１５】
また、請求項５に記載の発明によれば、第１の種別によりキー入力された数値データを印刷枚数として処理し、該数値データに基づいて印刷を実行するので、操作パネルの操作部材が簡素化され、手入力する数値入力機能の操作性が向上した画像形成装置を得ることができる。
【発明を実施するための最良の形態】
【００１６】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００１７】
図１は、本発明の実施形態である画像形成装置の主要部を示すブロック図であり、図２は、操作パネルを示す平面図である。画像形成装置１は、操作パネル２、制御手段１０、画像読取部３０、画像形成部３２、記憶部３４を備え構成される。
【００１８】
画像読取部３０は、複写時に原稿を照明するスキャナランプや原稿からの反射光の光路を変更するミラーが搭載された走査光学系、原稿からの反射光を集光して結像する集光レンズ、及び結像された画像光を電気信号に変換するＣＣＤ等から構成される。画像読取部３０で読み取られた画像信号はＡＤ変換されてデジタル信号に変換された後、後述する記憶部３４内の画像メモリ６０に送出される。
【００１９】
画像形成部３２は、ＡＤ変換されたデジタル画像信号をもとに、画像書込部が感光体ドラムに光ビームを照射させ、感光体ドラムの表面上に静電潜像を形成し、現像装置により現像した後に、転写部により用紙上にトナー像を転写する。
【００２０】
記憶部３４は、画像メモリ６０、ＲＡＭ６１、及びＲＯＭ６２を備えて、画像メモリ６０は、画像読取部３０で読み取られ、デジタル変換された画像信号を記憶し、制御手段１０に送出する。ＲＡＭ６１及びＲＯＭ６２は、制御手段１０の処理プログラムや処理内容等が記憶されている。
【００２１】
操作パネル２は、印刷枚数や複写倍率等の数値入力用のテンキー３とその他のキー５を備える操作部と、設定条件や装置の状態等を表示する液晶表示部６とから構成される。図２に示すように、操作パネル２は、コピー・ファクシミリ等の機能設定キー、複写倍率、用紙サイズ、画質等の印刷条件設定キー、ストップ／クリアキー、スタートキー等のその他のキー５を備え、オペレータが印刷条件等の設定を行う他、テンキー３から入力されたファクシミリにおける電話番号を記憶部３４にファクシミリ送信先として登録し、さらに登録された送信先の読み出しや書き換えを行う等の種々の設定にも使用される。
【００２２】
図１に戻り、制御手段１０は、印刷枚数制御部１３とその他の制御部１４を備える。その他の制御部１４は、ＲＡＭ６１及びＲＯＭ６２に記憶されたプログラムに従って、画像読取部３０、画像形成部３２、及びそれらを駆動するモータを全般的に制御するとともに、画像読取部３０で読み取られた画像信号を、必要に応じて変倍処理或いは階調処理して画像データに変換する。また、その他の制御部１４は、その他のキー５から入力されるデータに基づき、コピー・ファクシミリ等の機能を制御して、それらの機能を液晶表示部６に表示させるとともに、テンキー３から入力された数値データに基づき、拡大・縮小倍率等印刷条件を制御し、それらの印刷条件等を液晶表示部６に表示させる。印刷枚数制御部１３は、テンキー３から入力された数値データに基づいて印刷枚数を制御する。
【００２３】
印刷枚数制御部１３の印刷枚数の制御に先立って、キー入力判定部１１がテンキー３からキー入力される種別を判定する。キー入力の種別判定について、図３〜図６を用いて説明する。
【００２４】
図３は、本発明の実施形態である画像形成装置におけるキー入力の判定基準値設定モード時における液晶表示部の表示態様を示す平面図であり、図４は、判定基準値設定モード時の制御手段による処理を示すフローチャートであり、図５は、印刷枚数をキー入力する時のキー入力判定部による制御を示すフローチャートであり、図６は、液晶表示部による印刷枚数の表示態様を示す平面図である。
【００２５】
まず、キー入力の種別の基準を設定するために、画像形成を開始する前に、オペレータは判定基準値設定モードを選定すると、図３に示すように、液晶表示部６に、複数（たとえば、８つ）のキー７が表示される。各キー７には、それぞれ異なる数値（たとえば、「１」〜「８」の通し番号）が対応付けて表示されており、これらの数値がランダムになるように各キー７が配置される。また、液晶表示部６には、各キー７を、対応付けて表示されている数値の順序に従って押圧するよう促すためのメッセージ８が表示される。
【００２６】
図４に基づいて、判定基準値設定モードの処理を説明する。制御手段１０の判定基準値設定部１２（図１参照）は、図３に示すような態様で液晶表示部６に表示を行うことにより、液晶表示部６に複数のキー７を表示させ（ステップＰ１）、それらのキー７が押圧されるかどうか（キー入力があるかどうか）を監視する（ステップＰ２）。
【００２７】
液晶表示部６に表示されているキー７のいずれかが押圧され（ステップＰ２でＹＥＳ）、そのキー７が各キー７に対応付けて表示されている数値の順序に従って押されている場合には（ステップＰ３でＹＥＳ）、判定基準値設定部１２は、そのキー７が押圧されている時間、すなわち、そのキー７にオペレータの指が触れてから離されるまでの時間を計測する（ステップＰ４）。
【００２８】
判定基準値設定部１２は、上記のようなステップＰ１〜Ｐ４の制御を、液晶表示部６に表示されているすべてのキー７が押圧されるまで繰り返し、すべてのキー７が押圧されると（ステップＰ５でＹＥＳ）、下記の計算式（１）により、キー７の押圧時間の平均値ＴＢを算出する（ステップＰ６）。
ＴＢ＝ΣＴＮ／ｎ ・・・（１）
ＴＮ：各キー７の押圧時間ＴＮ（Ｎ＝１〜８）
ｎ：キー７の押圧回数
その後、判定基準値設定部１２は、下記の計算式（２）により、標準偏差σを算出する（ステップＰ７）。
σ＝√(Σ(ＴＮ−ＴＢ)2／ｎ) ・・・（２）
【００２９】
この実施形態では、判定基準値設定モードにおいて、通常入力によるキー入力と、通常入力による長い時間押し続ける長押しによるキー入力とをそれぞれ判定するための判定基準値（通常入力用判定基準値ＴＳ、長押し用判定基準値ＴＬ）が設定される。すなわち、判定基準値設定部１２は、標準偏差σを算出した後（ステップＰ７）、下記の計算式（３）、（４）により、通常入力用判定基準値ＴＳ、長押し用判定基準値ＴＬを算出し（ステップＰ８〜Ｐ９）、判定基準値設定モードを終了する。
ＴＳ＝ＴＢ−３σ ・・・（３）
ＴＬ＝ＴＢ＋３σ ・・・（４）
【００３０】
上記のようにして設定される判定基準値は、オペレータごとに設定されるようになっていてもよいし、複数のオペレータからなるグループ（部門）ごとに設定されるようになっていてもよい。また、液晶表示部６にタッチパネル式の仮想的なテンキーを表示したが、これに替えて、液晶表示部６に表示されるメッセージ８に従って、テンキー３を順次押圧するようにしてもよい。
【００３１】
次に、上記の判定基準値設定モードで設定された判定基準値に基づいて、キー入力判定部１１がキー入力の種別を判定する処理を、図１、図６を参照しながら、図５のステップに従い説明する。
【００３２】
先ず、テンキー３のキーが通常入力された場合と長押しされた場合とで異なる機能が割り付けられる。ここでは、第１の種別としての通常入力では、入力された数値データを液晶表示部６に点灯表示する。一方、第２の種別としての長押し入力では、既に入力された数値データを点滅表示し、複数桁の数値データが既に入力されているなら、それらの数値データを上位桁から順次点滅表示するように割り付けられる。
【００３３】
そして、図５に示すように、印刷枚数の入力設定時に、テンキー３からキー入力があるかどうかを監視し（ステップＱ１）、テンキー３からキー入力があった場合には（ステップＱ１でＹＥＳ）、キー入力判定部１１は、その押圧時間ｔが長押し用判定基準値ＴＬよりも小さいかどうかを確認する（ステップＱ２）。そして、キーの押圧時間ｔが長押し用判定基準値ＴＬ以上である場合には（ステップＱ２でＮＯ）、キー入力判定部１１は、そのキー入力を長押しによるキー入力と判定するが、最初のキー入力では、まだ印刷枚数が設定されていないので、液晶表示部６に通常入力で再度キー入力するよう促す表示をして（ステップＱ３）。再入力を待つ。
【００３４】
ステップＱ２で、キーの押圧時間ｔが長押し用判定基準値ＴＬよりも小さい場合には（ステップＱ２でＹＥＳ）、キー入力判定部１１は、そのキー入力を通常入力によるキー入力と判定し（ステップＱ４）、液晶表示部６に入力された数値データを点灯表示する（ステップＱ５）。
【００３５】
尚、ｔ＜ＴＬの判定ステップでは、キーの押圧時間ｔが通常入力用判定基準値ＴＳよりも大きいかどうかも確認して、キーの押圧時間ｔが通常入力用判定基準値ＴＳ以下である場合には、そのキー入力を外乱（たとえば、誤ってキーに一瞬触れた場合などのオペレータが意図せぬ入力）と判定して、そのキー入力を受け付けない処理も行う。
【００３６】
次に、テンキー３からキー入力があると（ステップＱ６でＹＥＳ）、そのキーの押圧時間ｔが長押し用判定基準値ＴＬよりも小さい場合には（ステップＱ７でＹＥＳ）、キー入力判定部１１は、そのキー入力を通常入力によるキー入力と判定し（ステップＱ４）、液晶表示部６に既に入力された数値データの下の桁に今回の数値データを点灯表示する（ステップＱ５）。
【００３７】
ステップＱ７で、キーの押圧時間ｔが長押し用判定基準値ＴＬ以上である場合には（ステップＱ７でＮＯ）、キー入力判定部１１は、そのキー入力を長押しによるキー入力と判定し（ステップＱ８）、数値データの入力を受け付けずに、既に入力された数値データを点滅表示する（ステップＱ９）。その長押し入力が継続していると（ステップＱ１０でＮＯ）、数値データを点滅表示し続けて（ステップＱ９）、長押し入力が停止されると（ステップＱ１０でＹＥＳ）、数値データを点滅表示する（ステップＱ１１）。
【００３８】
尚、点滅表示について、１桁の数値データの表示では、ステップＱ１０の長押し入力を継続しているときの点滅表示１（ステップＱ９の表示）と長押し入力の停止後の点滅表示２（ステップＱ１１の表示）とは、ともに同じ形態の点滅表示である。しかし、２桁以上の数値データの表示である場合には、点滅表示１（ステップＱ９の表示）は、数値データを上位桁から順次点滅表示する形態であり、点滅表示２（ステップＱ１１の表示）は、長押し入力を停止する直前の桁の数値データのみを点滅表示するように制御される。
【００３９】
ステップＱ１１で数値データを点滅表示している状態で、テンキー３からキー入力があり（ステップＱ１２でＹＥＳ）、そのキーの押圧時間ｔが長押し用判定基準値ＴＬ以上である場合には（ステップＱ１３でＮＯ）、ステップＱ９からステップＱ１２に戻り、数値データの点滅表示を継続する。
【００４０】
ステップＱ１３で、キーの押圧時間ｔが長押し用判定基準値ＴＬよりも小さい場合には（ステップＱ１３でＹＥＳ）、そのキー入力を通常入力によるキー入力と判定し（ステップＱ１４）、点滅している数値データを今回入力された数値データに変更して、数値データを点灯表示する（ステップＱ１５）。
【００４１】
そして、次のキー入力を待ち、キー入力がないのなら（ステップＱ６でＮＯ）、一連の処理を終了して、図１に示す印刷枚数制御部１３に数値データを出力する。印刷枚数制御部１３は入力された枚数の印刷を実行する。
【００４２】
ここで、図６に示すように、「１２６」の３桁の数値データが入力され、液晶表示部６に表示された状態で、２桁目の数値データ［２］を変更する場合について説明する。図５に示すフローチャートのステップＱ１からステップＱ７の処理を繰り返し、数値データ「１２６」入力された状態で、テンキー３を長押しする（ステップＱ７でＮＯ）。
【００４３】
そうすると、キー入力判定部１１は、そのキー入力を長押しによるキー入力と判定し（ステップＱ８）、数値データの入力を受け付けずに、既に入力された数値データを図６（ａ）に示すように、３桁目の数値データ「１」から１桁目の数値データ「６」に順次点滅表示し（ステップＱ９）、その長押し入力が継続していると（ステップＱ１０でＮＯ）、数値データの順次点滅を数値データ「１」から「６」の間で循環させて表示して（ステップＱ９）、数値データ「２」の点滅の直後に長押し入力を停止すると（ステップＱ１０でＹＥＳ）、図６（ｂ）に示すように数値データ「２」のみを点滅表示させる（ステップＱ１１）。
【００４４】
数値データ「２」のみが点滅表示している状態において、長押し用判定基準値ＴＬよりも短い時間で、変更する数値データ、例えば「３」のキーが押圧されると（ステップＱ１３でＹＥＳ）、そのキー入力を通常入力によるキー入力と判定し（ステップＱ１４）、点滅している数値データ「２」を今回入力された数値データ「３」に変更して、数値データ「１３６」を点灯表示する（ステップＱ１５）。
【００４５】
そして、次のキー入力を待ち、キー入力がないのなら（ステップＱ６でＮＯ）、一連の処理を終了して、図１に示す印刷枚数制御部１３に数値データを出力する。印刷枚数制御部１３は入力された枚数の印刷を実行する。
【００４６】
上記実施形態によれば、手操作により入力された数値データに応じて所定の画像形成処理を実行する数値入力機能を備えた画像形成装置１において、テンキー３と、テンキー３から入力された数値データを表示する液晶表示部６と、テンキー３の押圧時間を計測し、このキーの押圧時間に基づいて、キー入力の種別を判定するための判定基準値を設定する判定基準値設定部１２と、判定基準値設定部１２により設定された判定基準値に基づいて、キー入力に対して通常入力のキー入力と長押しによるキー入力を判定するキー入力判定部１１とを有する制御手段１０とを備える。制御手段１０は、通常入力によりキー入力された第１の数値データを液晶表示部６に点灯表示した後に、長押しによりキー入力されると、第１の数値データを液晶表示部６に点滅表示して、その後、通常入力により第２の数値データがキー入力されると、第１の数値データを第２の数値データに変更して液晶表示部６に表示するように制御する。
【００４７】
この構成によれば、第１の数値データを第２の数値データに変更して入力する場合に、長押しによりキー入力すると、点灯表示された第１の数値データが点滅表示に変り、この状態で、通常入力により第２の数値データがキー入力されると、点滅している第１の数値データが第２の数値データに変更されることによって、誤った数値データを消去するクリアキーを採用しなくてもよいので、操作パネルの操作部材が簡素化される。また、テンキー３の操作のみで数値データが修正されるので、キー入力の誤りを簡単に修正することができ、手入力する数値入力機能の操作性が向上する。
【００４８】
また、この構成によれば、入力変更する数値データが点灯表示から点滅表示に変わるので、修正する数値データが分かり易く、手入力する数値入力機能の操作性が向上する。
【００４９】
また、この構成によれば、長押しによりキー入力すると、液晶表示部６に点灯表示していた数値データが点滅表示に変わるので、クリアキー等別の操作部材を操作することなく、テンキー３のみで数値データの修正入力を行うことができ、手入力する数値入力機能の操作性が向上する。
【００５０】
また、上記実施形態によれば、制御手段１０は、通常入力によりキー入力された２桁以上の第１の数値データを液晶表示部６に点灯表示した後に、長押しによりキー入力が継続されると、第１の数値データを液晶表示部６に順次点滅表示して、その後、所望の第１の数値データが点滅しているときに、長押しによるキー入力を終了されて、通常入力により第２の数値がキー入力されると、所望の第１の数値データを第２の数値データに変更して液晶表示部６に表示するように制御する。このことによって、桁数が大きい数値データを変更して入力する場合に、長押し入力により順次点滅表示した複数の数値データの中から、変更すべき数値データが点滅した直後に長押し入力を止め、第２の数値データを通常入力によりキー入力するとよいので、ファクシミリにおける電話番号や数が多い印刷枚数の設定において、数値データの修正入力を簡単に行うことができ、手入力する数値入力機能の操作性が向上する。
【００５１】
尚、上記実施形態では、画像形成装置１の印刷枚数を入力する操作入力装置に適用した例を示したが、本発明はこれに限らず、画像形成装置１の倍率を入力する操作入力装置に適用してもよいし、ファクシミリにおける電話番号の操作入力装置に適用してもよい。
【００５２】
また、上記実施形態では、画像形成装置１の操作入力装置に適用した例を示したが、本発明はこれに限らず、固定・携帯電話、電子式卓上計算機の数値データの操作入力装置に適用してもよい。
【００５３】
また、上記実施形態では、操作パネルに設けたテンキー３により数値データを入力する構成を示したが、本発明はこれに限らず、液晶表示部６にタッチパネル式の仮想的なテンキーを表示し、そのテンキーから数値データを入力するようにしてもよい。この場合も上記同様に効果を奏することができる。
【００５４】
また、上記実施形態では、第２の種別によるキー入力として長押し操作を示したが、本発明はこれに限らず、第２の種別によるキー入力を連続クリックによるキー入力操作としてもよい。この場合、連続クリックは、事前に測定して設定した通常入力用判定基準値ＴＳより短い時間間隔で同一のキーが連続して入力されるものとして、判定基準値設定部１２に設定されるようにすればよい。
【産業上の利用可能性】
【００５５】
本発明は、数値データのキー入力を行うことができる操作入力装置に関し、特に印刷枚数等を入力する操作入力装置を備えた複写機、ファクシミリ、プリンタ等の画像形成装置に利用することができる。
【図面の簡単な説明】
【００５６】
【図１】は、本発明の実施形態である画像形成装置の主要部を示すブロック図である。
【図２】は、本発明の実施形態である画像形成装置の操作パネルを示す平面図である。
【図３】は、本発明の実施形態である画像形成装置の判定基準値設定モード時における液晶表示部の表示態様を示す平面図である。
【図４】は、本発明の実施形態である画像形成装置の判定基準値設定モード時の制御手段による処理を示すフローチャートである。
【図５】は、本発明の実施形態である画像形成装置のオペレータによる印刷枚数のキー入力時の制御手段によるキー入力判定の処理を示すフローチャートである。
【図６】は、本発明の実施形態である画像形成装置の液晶表示部による印刷枚数の表示態様を示す平面図である。
【符号の説明】
【００５７】
１    画像形成装置
３    テンキー（数値入力キー）
６    液晶表示部
１０    制御手段
１１    キー入力判定部
１２    判定基準値設定部
１３    印刷枚数制御部
１４    その他の制御部
【図１】
0004820789.tif 000002
【図２】
0004820789.tif 000003
【図３】
0004820789.tif 000004
【図４】
0004820789.tif 000005
【図５】
0004820789.tif 000006
【図６】
0004820789.tif 000007